(57)【特許請求の範囲】
【請求項１】
揮発性有機化合物が付着しているプレートを保管する保管容器であって、
第１凹部を有する第１本体部と、対向する前記第１凹部とで前記プレートを収容する収容空間を形成している第２凹部を有する第２本体部と、を含む筐体と、
前記収容空間において、撓んだ状態で前記プレートの端部を挟持する弾性挟持部と、
を備え、
前記弾性挟持部は、
前記第１凹部の内側面から前記収容空間へ湾曲板状に突出し、湾曲面にて前記プレートの第１面に接触する第１接触部と、
前記第２凹部の内側面から前記収容空間へ湾曲板状に突出し、湾曲面にて前記プレートの前記第１面とは反対側の第２面に接触する第２接触部と、を有する、保管容器。
【請求項２】
前記プレートは、ガラス製であり、
前記筐体及び前記弾性挟持部は、金属製である、
請求項１に記載の保管容器。
【発明の詳細な説明】
【技術分野】
【０００１】
本発明は、揮発性有機化合物が付着しているプレートを保管する保管容器に関する。
【背景技術】
【０００２】
トラック等の車両の内装材（例えば、フロアマット）から、揮発性有機化合物が発生することがある。揮発性有機化合物は、毒性を有しており、沸点により高揮発性有機化合物（ＶＶＯＣ）、揮発性有機化合物（ＶＯＣ）、準揮発性有機化合物（ＳＶＯＣ）に分類される。従来では、発生した揮発性有機化合物を調査すべく、揮発性有機化合物を捕集した後に、分析等が行われている。
【先行技術文献】
【特許文献】
【０００３】
【特許文献１】特開２００６−２５０７７３号公報
【発明の概要】
【発明が解決しようとする課題】
【０００４】
通常、揮発性有機化合物を捕集してプレートに付着させる捕集装置と、捕集した揮発性有機化合物を分析する分析装置は、離れて位置している。このため、揮発性有機化合物が付着したプレートを保管容器に固定して、分析装置まで運ぶことになるが、保管容器を運ぶ際に保管容器が振動することに起因して、プレートが破損する恐れがある。特に、プレートがガラス製である場合には、プレートが破損する可能性が高まる。
【０００５】
そこで、本発明はこれらの点に鑑みてなされたものであり、揮発性有機化合物が付着しているプレートが保管容器の振動に伴い破損することを防止することを目的とする。
【課題を解決するための手段】
【０００６】
本発明の一の態様においては、揮発性有機化合物が付着しているプレートを保管する保管容器であって、内部の収容空間に前記プレートを収容する筐体と、前記収容空間において、撓んだ状態で前記プレートの端部を挟持する弾性挟持部と、を備える、保管容器を提供する。
かかる保管容器によれば、弾性を有する弾性挟持部が撓んだ状態でプレートの端部を挟持することで、保管容器を運ぶ際等に保管容器が振動しても、弾性挟持部が振動を吸収する。また、撓んでいる弾性挟持部の一部がプレートに接触するので、振動の際にプレートに応力が作用する応力集中箇所が少なくなる。この結果、保管容器の振動に起因するプレートの破損を防止できる。
【０００７】
また、前記弾性挟持部は、前記筐体の内壁面から板状に延びるように形成されていることとしてもよい。
【０００８】
また、前記筐体は、対向して間に前記収容空間を形成する第１本体部及び第２本体部を含み、前記弾性挟持部は、前記第１本体部の内壁面から延びて、前記プレートの第１面に接触する第１接触曲面と、前記第２本体部の内壁面から延びて、前記プレートの前記第１面とは反対側の第２面に接触する第２接触曲面と、を有することとしてもよい。
【０００９】
また、前記プレートは、ガラス製であり、前記筐体及び前記弾性挟持部は、金属製であることとしてもよい。
【発明の効果】
【００１０】
本発明によれば、揮発性有機化合物が付着しているプレートが保管容器の振動に伴い破損することを防止できるという効果を奏する。
【図面の簡単な説明】
【００１１】
【図１】本発明の一の実施形態に係る保管容器１の内部構成を示す模式図である。
【図２】図１の保管容器１を真上から見た図である。
【図３】図１の部分Ａを拡大した図である。
【図４】保管容器１の下側本体部１２の内部構成を示す模式図である。
【図５】比較例に係る保管容器９００の内部構成を示す模式図である。
【図６】図５の部分Ｂを拡大した図である。
【発明を実施するための形態】
【００１２】
＜保管容器の構成＞
図１〜図４を参照しながら、本発明の一の実施形態に係る保管容器１の構成について説明する。
【００１３】
図１は、一の実施形態に係る保管容器１の内部構成を示す模式図である。図２は、図１の保管容器１を真上から見た図である。保管容器１は、内部にプレート１００を収容して一時的に保管するための容器である。保管容器１の内部において、プレート１００は支持されている。
【００１４】
プレート１００には、揮発性有機化合物が付着している。例えば、プレート１００は、ガラス製のプレートであり、両面に揮発性有機化合物（具体的には、準揮発性有機化合物）が付着している。使用者は、捕集装置で揮発性有機化合物が付着したプレート１００を収容した保管容器１を分析装置まで運んだ後に、揮発性有機化合物の分析等を行う。なお、プレート１００に付着している揮発性有機化合物は、ここではトラック等の車両の内装材（フロアマット等）から発生した揮発性有機化合物である。
【００１５】
図１に示すように、保管容器１は、筐体１０と、弾性挟持部２０と、固定部材３０とを有する。
筐体１０は、内部の収容空間１０ａにプレート１００を収容する。筐体１０は、金属製であり、具体的にはＳＵＳ製である。筐体１０は、図２に示すように、プレート１００と同様に円形状の形状を成している。筐体１０は、図１に示すように、上側本体部１１と下側本体部１２とで構成されている。上側本体部１１及び下側本体部１２は、それぞれ凹部１１ａ、１２ａを有しており、対向する凹部１１ａ、１２ａによって収容空間１０ａを形成している。
【００１６】
弾性挟持部２０は、筐体１０と同様に金属製であり、具体的にはＳＵＳ製である。そして、弾性挟持部２０は、板状に形成されており、弾性を有する。そして、弾性挟持部２０は、筐体１０の収容空間１０ａにおいて、撓んだ状態でプレート１００の端部を挟持する。本実施形態に係る弾性挟持部２０は、詳細は後述するが、使用者が保管容器１を運ぶ際に保管容器１が振動しても、内部のプレート１００が破損することを防止するための機能を有する。
【００１７】
固定部材３０は、上側本体部１１と下側本体部１２を固定するための部材である。固定部材３０は、図２に示すように、円周方向に沿って所定間隔で複数設けられている。固定部材３０は、ここでは固定用ボルトを含む。上側本体部１１及び下側本体部１２には、固定用ボルトが挿通される挿通孔が形成されている。
【００１８】
＜弾性挟持部の詳細構成＞
図３及び図４を参照しながら、保管容器１の弾性挟持部２０の詳細構成について説明する。
【００１９】
図３は、図１の部分Ａを拡大した図である。図４は、保管容器１の下側本体部１２の内部構成を示す模式図である。弾性挟持部２０は、図３に示すように、筐体１０の内壁面から板状に延びるように形成されている。弾性挟持部２０は、プレート１００の端部を挟んでいる上側接触部２１及び下側接触部２２を有する。上側接触部２１及び下側接触部２２は、所定間隔で複数設けられている。例えば、図４に示すように、下側接触部２２は、円周方向に９０度間隔で４つ設けられている。上側接触部２１は、端部で上側本体部１１に固定されており、下側接触部２２は、端部で下側本体部１２に固定されている。
【００２０】
上側接触部２１は、プレート１００の上面１０１（第１面）に接触しており、下側接触部２２は、プレート１００の下面１０２（第２面）に接触している。具体的には、上側接触部２１は、上側本体部１１の凹部１１ａの側面１１ｂから板状に延びており、図３に示すように撓んだ状態で上面１０１に接触している。同様に、下側接触部２２は、下側本体部１２の凹部１２ａの側面１２ｂから板状に延びており、図３に示すように撓んだ状態で下面１０２に接触している。
【００２１】
このように弾性挟持部２０（上側接触部２１及び下側接触部２２）がプレート１００の端部を挟持する場合には、保管容器１が振動しても、上側接触部２１及び下側接触部２２が振動を吸収することで、保管容器１内のプレート１００へ振動が伝達されることを抑制できる。この結果、保管容器１の振動に起因してガラス製のプレート１００が破損することを防止できる。
【００２２】
また、上側接触部２１は、プレート１００の上面１０１に線接触している接触曲面２１ａ（第１接触曲面）を有し、下側接触部２２は、下面１０２に線接触している接触曲面２２ａ（第２接触曲面）を有する。このように接触曲面２１ａ及び接触曲面２２ａが線接触することで、プレート１００との接触面積を小さくできるので、保管容器１が振動した際に、プレート１００に付着していた揮発性有機化合物が接触曲面２１ａや接触曲面２２ａに移ることを抑制できる。
【００２３】
なお、上記では、上側接触部２１が凹部１１ａの側面１１ｂから延びるように設けられ、下側接触部２２が凹部１２ａの側面１２ｂから延びるように設けられていることとしたが、これに限定されない。例えば、上側接触部２１及び下側接触部２２が、それぞれ凹部１１ａ、１２ａの底面から延びるように設けられていてもよい。
【００２４】
＜本実施形態における効果＞
本実施形態に係る保管容器１による効果について、図５及び図６に示す比較例に係る保管容器９００と対比しながら、説明する。
【００２５】
図５は、比較例に係る保管容器９００の内部構成を示す模式図である。図６は、図５の部分Ｂを拡大した図である。図５に示す比較例においては、保管容器９００の上側本体部９１１及び下側本体部９１２が形成している凹部９２０で、揮発性有機化合物が付着しているプレート１００を上下で挟んで固定している。かかる場合には、保管容器９００が振動した際に、図６に示す複数の応力集中箇所Ｃにおいて応力がプレート１００に集中して作用するので、プレート１００が破損しやすくなる。また、比較例の場合には、図６に示すようにプレート１００の端部が凹部９２０に面接触しているので、保管容器９００が振動した際に、プレート１００に付着していた揮発性有機化合物が凹部９２０に移ってしまう。
【００２６】
これに対して、本実施形態の保管容器１においては、弾性を有する弾性挟持部２０が、撓んだ状態で内部のプレート１００を挟持している。かかる場合には、使用者が保管容器１を運ぶ際等に保管容器１が振動しても、弾性挟持部２０が振動を吸収する。また、撓んでいる弾性挟持部２０の一部がプレート１００に接触するので、比較例に比べて応力集中箇所が少なくなる。この結果、保管容器１の振動に起因するプレート１００の破損を防止できる。さらに、弾性挟持部２０がプレート１００に線接触するので、接触面積が小さくなり、プレート１００に付着していた揮発性有機化合物が弾性挟持部２０に移ることを抑制できる。
【００２７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００２８】
１    保管容器
１０    筐体
１０ａ    収容空間
１１    上側本体部
１２    下側本体部
２０    弾性挟持部
２１    上側接触部
２１ａ    接触曲面
２２    下側接触部
２２ａ    接触曲面
【図１】
0006662068.tif 000002
【図２】
0006662068.tif 000003
【図３】
0006662068.tif 000004
【図４】
0006662068.tif 000005
【図５】
0006662068.tif 000006
【図６】
0006662068.tif 000007